【手続補正書】
【提出日】平成26年4月9日(2014.4.9)
【手続補正１】
【補正対象書類名】特許請求の範囲
【補正対象項目名】全文
【補正方法】変更
【補正の内容】
【特許請求の範囲】
【請求項１】
利用者の撮影を行う撮影手段と、
前記撮影手段によって撮影された撮影画像に含まれる利用者の顔を検出するとともに、検出した顔の少なくとも一部を含む顔領域を設定する顔領域設定手段と、
前記撮影画像に対する合成位置が予め定められた第１合成位置に設定された特定要素画像を含む付加画像を前記撮影画像に対して合成する編集手段とを備え、
前記編集手段は、
前記特定要素画像を前記第１合成位置に合成した場合において前記特定要素画像が占める特定領域の範囲と、前記顔領域の範囲とが重複する場合、重複する範囲を減少または消失させるよう、前記第１合成位置とは異なる第２合成位置に前記特定要素画像を合成し、
前記特定領域の範囲と前記顔領域の範囲とが重複しない場合、前記第１合成位置に前記特定要素画像を合成する
遊戯用撮影装置。
【請求項２】
前記編集手段は、前記撮影画像における予め定められた位置に合成されるべき複数の装飾要素画像のうち、前記顔領域の範囲と重複する装飾要素画像を合成しないか、または前記顔領域の範囲および前記撮影画像に含まれる利用者の像の範囲のうちの少なくとも一方の範囲に対して背景となるように合成することを特徴とする、請求項１に記載の遊戯用撮影装置。
【請求項３】
前記編集手段は、変更後の合成位置の候補であって予め優先順位を付された複数の候補合成位置に前記特定要素画像をそれぞれ合成しようとする場合における、前記特定領域の範囲と前記顔領域の範囲とが重複する範囲を所定量だけ減少させまたは消失させることができる候補合成位置のうち、最も高い優先順位を付された候補合成位置に、前記特定要素画像を合成することを特徴とする、請求項１または請求項２に記載の遊戯用撮影装置。
【請求項４】
前記編集手段は、前記第１合成位置を起点として、当該起点から離れるように所定の計算式に基づき算出される変更後の合成位置の候補である候補合成位置に前記特定要素画像を合成しようとする場合、前記特定領域の範囲と前記顔領域の範囲とが重複する範囲を所定量だけ減少させまたは消失させることができる候補合成位置のうち、前記起点に最も近い候補合成位置に、前記特定要素画像を合成することを特徴とする、請求項１または請求項２に記載の遊戯用撮影装置。
【請求項５】
前記特定要素画像は、前記特定領域が前記撮影画像の上下方向に伸びる中心線に掛かりかつ前記上下方向とは異なる方向に配列される一連の文字、記号、または模様を示す複数の画像を含むことを特徴とする、請求項１から請求項４までのいずれか１項に記載の遊戯用撮影装置。
【請求項６】
前記編集手段は、前記特定要素画像を、前記第１合成位置から下方向に定める位置に合成することを特徴とする、請求項１から請求項５までのいずれか１項に記載の遊戯用撮影装置。
【請求項７】
表示手段をさらに備え、
前記表示手段は、前記第１合成位置に前記特定要素画像を配置した付加画像を縮小表示する画面である操作画面と、前記利用者により選択された付加画像を前記撮影画像に対して合成する前記画像合成手段により合成された合成画像を表示する画面である編集画面とを同時にまたは順に表示することを特徴とする、請求項１から請求項６までのいずれか１項に記載の遊戯用撮影装置。
【請求項８】
利用者の撮影を行う撮影ステップと、
前記撮影ステップによって撮影された撮影画像に含まれる利用者の顔を検出するとともに、検出した顔の少なくとも一部を含む顔領域を設定する顔領域設定ステップと、
前記撮影画像に対する合成位置が予め定められた第１合成位置に設定された特定要素画像を含む付加画像を前記撮影画像に対して合成する編集ステップとを備え、
前記編集ステップでは、
前記特定要素画像を前記第１合成位置に合成した場合において前記特定要素画像が占める特定領域の範囲と、前記顔領域の範囲とが重複する場合、重複する範囲を減少または消失させるよう、前記第１合成位置とは異なる第２合成位置に前記特定要素画像を合成し、
前記特定領域の範囲と前記顔領域の範囲とが重複しない場合、前記第１合成位置に前記特定要素画像を合成する
遊戯用撮影方法。
【請求項９】
コンピュータに、
利用者の撮影を行う撮影ステップと、
前記撮影ステップによって撮影された撮影画像に含まれる利用者の顔を検出するとともに、検出した顔の少なくとも一部を含む顔領域を設定する顔領域設定ステップと、
前記撮影画像に対する合成位置が予め定められた第１合成位置に設定された特定要素画像を含む付加画像を前記撮影画像に対して合成する編集ステップとを実行させるプログラムであって、
前記編集ステップでは、
前記特定要素画像を前記第１合成位置に合成した場合において前記特定要素画像が占める特定領域の範囲と、前記顔領域の範囲とが重複する場合、重複する範囲を減少または消失させるよう、前記第１合成位置とは異なる第２合成位置に前記特定要素画像を合成し、
前記特定領域の範囲と前記顔領域の範囲とが重複しない場合、前記第１合成位置に前記特定要素画像を合成する
プログラム。
【手続補正２】
【補正対象書類名】明細書
【補正対象項目名】発明の名称
【補正方法】変更
【補正の内容】
【発明の名称】遊戯用撮影装置、遊戯用撮影方法、およびプログラム
【手続補正３】
【補正対象書類名】明細書
【補正対象項目名】０００１
【補正方法】変更
【補正の内容】
【０００１】
本発明は、遊戯用撮影装置、遊戯用撮影方法、およびプログラムに関し、さらに詳しくは、利用者をカメラで撮影し、その撮影画像に基づき生成される合成画像を写真等として出力する遊戯用撮影装置、遊戯用撮影方法、およびプログラムに関する。
【手続補正４】
【補正対象書類名】明細書
【補正対象項目名】０００９
【補正方法】変更
【補正の内容】
【０００９】
そこで、本発明では、撮影画像に合成されるべき付加画像が利用者の顔部分に差し掛かる状態を、利用者の操作を要することなく低減または解消することができる遊戯用撮影装置、遊戯用撮影方法、およびプログラムを提供することを目的とする。
【手続補正５】
【補正対象書類名】明細書
【補正対象項目名】００１０
【補正方法】変更
【補正の内容】
【００１０】
第１の発明は、利用者の撮影を行う撮影手段と、
前記撮影手段によって撮影された撮影画像に含まれる利用者の顔を検出するとともに、検出した顔の少なくとも一部を含む顔領域を設定する顔領域設定手段と、
前記撮影画像に対する合成位置が予め定められた第１合成位置に設定された特定要素画像を含む付加画像を前記撮影画像に対して合成する編集手段とを備え、
前記編集手段は、
前記特定要素画像を前記第１合成位置に合成した場合において前記特定要素画像が占める特定領域の範囲と、前記顔領域の範囲とが重複する場合、重複する範囲を減少または消失させるよう、前記第１合成位置とは異なる第２合成位置に前記特定要素画像を合成し、
前記特定領域の範囲と前記顔領域の範囲とが重複しない場合、前記第１合成位置に前記特定要素画像を合成することを特徴とする。
【手続補正６】
【補正対象書類名】明細書
【補正対象項目名】００１１
【補正方法】変更
【補正の内容】
【００１１】
第２の発明は、第１の発明において、
前記編集手段は、前記撮影画像における予め定められた位置に合成されるべき複数の装飾要素画像のうち、前記顔領域の範囲と重複する装飾要素画像を合成しないか、または前記顔領域の範囲および前記撮影画像に含まれる利用者の像の範囲のうちの少なくとも一方の範囲に対して背景となるように合成することを特徴とする。
【手続補正７】
【補正対象書類名】明細書
【補正対象項目名】００１２
【補正方法】変更
【補正の内容】
【００１２】
第３の発明は、第１または第２の発明において、
前記編集手段は、変更後の合成位置の候補であって予め優先順位を付された複数の候補合成位置に前記特定要素画像をそれぞれ合成しようとする場合における、前記特定領域の範囲と前記顔領域の範囲とが重複する範囲を所定量だけ減少させまたは消失させることができる候補合成位置のうち、最も高い優先順位を付された候補合成位置に、前記特定要素画像を合成することを特徴とする。
【手続補正８】
【補正対象書類名】明細書
【補正対象項目名】００１３
【補正方法】変更
【補正の内容】
【００１３】
第４の発明は、第１または第２の発明において、
前記編集手段は、前記第１合成位置を起点として、当該起点から離れるように所定の計算式に基づき算出される変更後の合成位置の候補である候補合成位置に前記特定要素画像を合成しようとする場合、前記特定領域の範囲と前記顔領域の範囲とが重複する範囲を所定量だけ減少させまたは消失させることができる候補合成位置のうち、前記起点に最も近い候補合成位置に、前記特定要素画像を合成することを特徴とする。
【手続補正９】
【補正対象書類名】明細書
【補正対象項目名】００１５
【補正方法】変更
【補正の内容】
【００１５】
第６の発明は、第１から第５までの発明のいずれかにおいて、
前記編集手段は、前記特定要素画像を、前記第１合成位置から下方向に定める位置に合成することを特徴とする。
【手続補正１０】
【補正対象書類名】明細書
【補正対象項目名】００１６
【補正方法】変更
【補正の内容】
【００１６】
第７の発明は、第１から第６までの発明のいずれかにおいて、
表示手段をさらに備え、
前記表示手段は、前記第１合成位置に前記特定要素画像を配置した付加画像を縮小表示する画面である操作画面と、前記利用者により選択された付加画像を前記撮影画像に対して合成する前記画像合成手段により合成された合成画像を表示する画面である編集画面とを同時にまたは順に表示することを特徴とする。
【手続補正１１】
【補正対象書類名】明細書
【補正対象項目名】００１７
【補正方法】変更
【補正の内容】
【００１７】
第８の発明は、利用者の撮影を行う撮影ステップと、
前記撮影ステップによって撮影された撮影画像に含まれる利用者の顔を検出するとともに、検出した顔の少なくとも一部を含む顔領域を設定する顔領域設定ステップと、
前記撮影画像に対する合成位置が予め定められた第１合成位置に設定された特定要素画像を含む付加画像を前記撮影画像に対して合成する編集ステップとを備え、
前記編集ステップでは、
前記特定要素画像を前記第１合成位置に合成した場合において前記特定要素画像が占める特定領域の範囲と、前記顔領域の範囲とが重複する場合、重複する範囲を減少または消失させるよう、前記第１合成位置とは異なる第２合成位置に前記特定要素画像を合成し、
前記特定領域の範囲と前記顔領域の範囲とが重複しない場合、前記第１合成位置に前記特定要素画像を合成することを特徴とする。
【手続補正１２】
【補正対象書類名】明細書
【補正対象項目名】００１８
【補正方法】変更
【補正の内容】
【００１８】
第９の発明は、コンピュータに、
利用者の撮影を行う撮影ステップと、
前記撮影ステップによって撮影された撮影画像に含まれる利用者の顔を検出するとともに、検出した顔の少なくとも一部を含む顔領域を設定する顔領域設定ステップと、
前記撮影画像に対する合成位置が予め定められた第１合成位置に設定された特定要素画像を含む付加画像を前記撮影画像に対して合成する編集ステップとを実行させるプログラムであって、
前記編集ステップでは、
前記特定要素画像を前記第１合成位置に合成した場合において前記特定要素画像が占める特定領域の範囲と、前記顔領域の範囲とが重複する場合、重複する範囲を減少または消失させるよう、前記第１合成位置とは異なる第２合成位置に前記特定要素画像を合成し、
前記特定領域の範囲と前記顔領域の範囲とが重複しない場合、前記第１合成位置に前記特定要素画像を合成する、プログラムである。
【手続補正１３】
【補正対象書類名】明細書
【補正対象項目名】００１９
【補正方法】変更
【補正の内容】
【００１９】
上記第１の発明によれば、特定要素画像が占める特定領域の範囲と、顔領域の範囲とが重複する場合、重複する範囲を減少または消失させるよう、第１合成位置とは異なる第２合成位置に前記特定要素画像を合成し、重複しない場合、第１合成位置に特定要素画像を合成するので、特定要素画像が利用者の顔部分に差し掛かる状態を、利用者の操作を要することなく自動的に、またデザインを大きく変えることなく低減または解消することができる。
【手続補正１４】
【補正対象書類名】明細書
【補正対象項目名】００２０
【補正方法】変更
【補正の内容】
【００２０】
上記第２の発明によれば、予め定められた位置に合成されるべき複数の装飾要素画像のうち、顔領域の範囲と重複する装飾要素画像が合成されない（すなわち結果的に消去する）か、または顔領域の範囲および利用者の像の範囲のうちの少なくとも一方の範囲に対して背景となるように合成されるので、当該装飾画像要素と他の画像要素との位置関係や全体的な配置関係などに基づく（典型的には全体的な）デザインを大きく変えないようにすることが可能となる。
【手続補正１５】
【補正対象書類名】明細書
【補正対象項目名】００２２
【補正方法】変更
【補正の内容】
【００２２】
上記第４の発明によれば、第１合成位置を起点として、当該起点に最も近い候補合成位置に、特定要素画像が合成されるので、予め定められた初期状態（のデザイン）から大きく変えないようにすることができる。また予め複数の候補となる合成位置の中から選択する構成よりも、場合によってはさらに（典型的にはデザイン上）好適な位置を算出することができ、また候補となる合成位置では全てが顔領域と重なってしまう場合であっても、場合によっては顔領域と重ならない合成位置を算出することができる。
【手続補正１６】
【補正対象書類名】明細書
【補正対象項目名】００２４
【補正方法】変更
【補正の内容】
【００２４】
上記第６の発明によれば、特定要素画像における変更後の合成位置が、第１合成位置から下方向に定められるので、通常撮影画像の上半分にあることが多い顔部分に差し掛かる可能性を低くすることができる。また顔部分の上の空白部分（背景部分）には利用者による（ペンやスタンプなどの）落書きが含まれることが多いため、下方向へ移動させることにより、これらの落書きが特定要素画像により隠されないようにすることができる。
【手続補正１７】
【補正対象書類名】明細書
【補正対象項目名】００２５
【補正方法】変更
【補正の内容】
【００２５】
上記第７の発明によれば、第１合成位置に特定要素画像を配置した付加画像を縮小表示する画面である操作画面と、利用者により選択された付加画像を撮影画像に対して合成した合成画像を表示する画面である編集画面とが同時にまたは順に表示されるので、利用者が操作画面において付加画像を選択しやすくすることができ、また選択した付加画像を（場合によって合成位置を変更して）合成した結果を利用者に編集画面において確認させることができる。